(57)【要約】【課題】  カードの使用率を高めるとともに、昼夜で業務形態が異なるような店舗においてロスなくきめの細かなサービスを提供する。【解決手段】  決済の際に顧客が提示したカードが特定のカード発行元から発行されたカードであった場合には、自動割引テーブルＴで現在の時間帯に設定されている割引率に従って割引額を算出し、算出された割引額を売上処理した金額から減じる。これにより、カードの使用率を高めるとともに、昼夜で業務形態が異なるような店舗においてロスなくきめの細かなサービスを提供することができる。【選択図】    図６
2006039619.tif 000002
【特許請求の範囲】
【請求項１】
発行元の情報を含んでいて決済可能なカードにより売上処理した金額について決済を行う商品販売データ処理装置において、
特定のカード発行元から発行された前記カードにより決済を行う場合における割引率が時間帯別に設定されるテーブルと、
前記売上処理の際に、前記カードに記憶されている当該カードの発行元を示す発行元情報を取得する手段と、
取得した前記発行元情報により、顧客が提示した前記カードが特定のカード発行元から発行されたものであるか否かを判定する手段と、
顧客が提示した前記カードが特定のカード発行元から発行されたものであると判定された場合、前記テーブルを参照して現在の時間帯に設定されている前記割引率を取得する手段と、
取得した前記割引率により、前記売上処理した金額から割引額を算出する手段と、
算出された前記割引額を前記売上処理した金額から減じる手段と、
を備えることを特徴とする商品販売データ処理装置。
【請求項２】
発行元の情報を含んでいて決済可能なカードにより売上処理した金額について決済を行う商品販売データ処理装置において、
特定のカード発行元から発行された前記カードにより決済を行う場合における値引額が時間帯別に設定されるテーブルと、
前記売上処理の際に、前記カードに記憶されている当該カードの発行元を示す発行元情報を取得する手段と、
取得した前記発行元情報により、顧客が提示した前記カードが特定のカード発行元から発行されたものであるか否かを判定する手段と、
顧客が提示した前記カードが特定のカード発行元から発行されたものであると判定された場合、前記テーブルを参照して現在の時間帯に設定されている前記値引額を取得する手段と、
取得した前記値引額を前記売上処理した金額から減じる手段と、
を備えることを特徴とする商品販売データ処理装置。
【請求項３】
前記テーブルは、時間帯別の前記割引率を部門毎に設定可能である、
ことを特徴とする請求項１記載の商品販売データ処理装置。
【請求項４】
前記テーブルは、時間帯別の前記割引率を単品毎に設定可能である、
ことを特徴とする請求項１記載の商品販売データ処理装置。
【請求項５】
前記テーブルは、時間帯別の前記値引額を部門毎に設定可能である、
ことを特徴とする請求項２記載の商品販売データ処理装置。
【請求項６】
前記テーブルは、時間帯別の前記値引額を単品毎に設定可能である、
ことを特徴とする請求項２記載の商品販売データ処理装置。
【発明の詳細な説明】
【技術分野】
【０００１】
本発明は、時間帯によってメニュー内容が変化する飲食店等で使用されるＰＯＳ（Point of Sales）端末の商品販売データ処理装置に関する。
【背景技術】
【０００２】
特許文献１には、顧客サービスとして、値割引（値引や割引）処理を実行可能にした商品販売データ処理システムが記載されている。
【０００３】
また、近年においては、特定の決済カードを使用した場合に自動的に割引きを行う自動割引機能を備えたＰＯＳ（Point of Sales）端末も提案されている。このＰＯＳ端末によれば、特定の決済カードが使用された場合、小計金額を対象とした割引きが行われる。
【０００４】
【特許文献１】特開２００２−１０９６４３公報
【発明の開示】
【発明が解決しようとする課題】
【０００５】
ところで、飲食店の中には、昼間は喫茶店として営業し、夜はアルコール類を中心としたメニューに切り替えて営業を続ける店がある。このように時間帯によってメニュー内容が変化する店においては、営業時間帯と連動し、営業時間毎に割引方法を変更するようにしている。
【０００６】
しかしながら、特定の決済カードを使用した場合に自動的に割引きを行う自動割引機能を備えたＰＯＳ端末は、特定の決済カードが使用された場合に自動的に割引きを行う自動割引機能を備えてはいるが、営業時間には連動せずに全ての時間帯において一律に割引くため、割引きをしなくても良い時間帯にまで割引きを行うことになり、ロスを生じている。
【０００７】
本発明は、カードの使用率を高めるとともに、昼夜で業務形態が異なるような店舗においてロスなくきめの細かなサービスを提供することを目的とする。
【課題を解決するための手段】
【０００８】
本発明は、発行元の情報を含んでいて決済可能なカードにより売上処理した金額について決済を行う商品販売データ処理装置において、特定のカード発行元から発行された前記カードにより決済を行う場合における割引率が時間帯別に設定されるテーブルと、前記売上処理の際に、前記カードに記憶されている当該カードの発行元を示す発行元情報を取得する手段と、取得した前記発行元情報により、顧客が提示した前記カードが特定のカード発行元から発行されたものであるか否かを判定する手段と、顧客が提示した前記カードが特定のカード発行元から発行されたものであると判定された場合、前記テーブルを参照して現在の時間帯に設定されている前記割引率を取得する手段と、取得した前記割引率により、前記売上処理した金額から割引額を算出する手段と、算出された前記割引額を前記売上処理した金額から減じる手段と、を備える。
【０００９】
したがって、決済の際に顧客が提示したカードが特定のカード発行元から発行されたカードであった場合には、テーブルで現在の時間帯に設定されている割引率に従って割引額が算出され、算出された割引額が売上処理した金額から減じられる。
【００１０】
本発明は、発行元の情報を含んでいて決済可能なカードにより売上処理した金額について決済を行う商品販売データ処理装置において、特定のカード発行元から発行された前記カードにより決済を行う場合における値引額が時間帯別に設定されるテーブルと、前記売上処理の際に、前記カードに記憶されている当該カードの発行元を示す発行元情報を取得する手段と、取得した前記発行元情報により、顧客が提示した前記カードが特定のカード発行元から発行されたものであるか否かを判定する手段と、顧客が提示した前記カードが特定のカード発行元から発行されたものであると判定された場合、前記テーブルを参照して現在の時間帯に設定されている前記値引額を取得する手段と、取得した前記値引額を前記売上処理した金額から減じる手段と、を備える。
【００１１】
したがって、決済の際に顧客が提示したカードが特定のカード発行元から発行されたカードであった場合には、テーブルで現在の時間帯に設定されている値引額が売上処理した金額から減じられる。
【発明の効果】
【００１２】
本発明によれば、決済の際に顧客が提示したカードが特定のカード発行元から発行されたカードであった場合には、時間帯に応じて設定された割引率で割引きが行われるので、カードの使用率を高めるとともに、昼夜で業務形態が異なるような店舗においてロスなくきめの細かなサービスを提供することができる。
【００１３】
本発明によれば、決済の際に顧客が提示したカードが特定のカード発行元から発行されたカードであった場合には、時間帯に応じて設定された値引額で値引きが行われるので、カードの使用率を高めるとともに、昼夜で業務形態が異なるような店舗においてロスなくきめの細かなサービスを提供することができる。
【発明を実施するための最良の形態】
【００１４】
本発明の実施の一形態を図１ないし図７に基づいて説明する。本実施の形態の商品販売データ処理装置は、時間帯によってメニュー内容が変化する飲食店等で使用されるＰＯＳ（Point of Sales）端末に適用されている。
【００１５】
ここで、図１はＰＯＳ端末１を概略的に示す外観斜視図、図２はその背面図である。ＰＯＳ端末１は、店舗の精算場所に配設されてキャッシャが売上処理を行うためのものであり、図１に示すような構成とされている。ＰＯＳ端末１には、本体２の上面側にキーボード３が設けられており、本体２の下部側にはドロワ４が引出自在に設けられている。また、本体２の奥側には、ディスプレイ５が設けられている。さらに、ＰＯＳ端末１には、商品コード等を光学的に読み取るためのコード読取装置であるスキャナ６も接続されている。
【００１６】
また、図２に示すように、ＰＯＳ端末１の客側に位置する背面には、例えばＬＣＤ（Liquid Crystal Display）である客側ディスプレイ７が設けられている。加えて、ＰＯＳ端末１の背面には、無線通信装置であるRFID（Radio Frequency-Identification）タグリーダ８が設けられている。このRFIDタグリーダ８は、図３に示すようなＩＣカードＣに内蔵されている無線タグであるRFIDタグ２０に記録されている情報を読み取るものである。RFIDタグリーダ８は、短い交信距離（０〜１メートル程度）に対応した「電磁誘導型」の無線通信機能を有するものであって、RFIDタグ２０内の情報を１３．５６ＭＨｚの電磁波で読み取ることができる。
【００１７】
ＩＣカードＣに内蔵されているRFIDタグ２０に記憶されている情報としては、電子マネーである通貨価値（バリュー）、カード番号等がある。図４に示すように、カード番号は例えば１６桁であり、上位８桁はバリューイシュア番号Ａ及びカードイシュア番号Ｂである。４桁のバリューイシュア番号Ａは、通貨価値（バリュー）の発行者を特定する番号である。また、４桁のカードイシュア番号Ｂは、ＩＣカードＣの発行者を特定する番号である。すなわち、ＩＣカードＣは、複数の通貨価値（バリュー）の発行者及びＩＣカードＣの発行者によって発行されるものである。
【００１８】
次に、キーボード３について説明する。ここで、図５はキーボード３の各種キーの配列を示す平面図である。図５に示すように、キーボード３は、商品コードや金額等を入力するための置数キー３ａ、締め宣言手段であって売上処理において現金による締めを宣言するための預／現計キー３ｂ、売上合計金額の算出を宣言するための小計キー３ｃ、各種商品を指定するためのＰＬＵキー３ｄ、ＩＣカードＣに入金された電子マネーによる電子商取引決済を宣言するための電子マネーキー３ｅ等の各種のキーをブロック毎に配列した外観構造を有している。また、３ａ〜３ｅ以外のキーについては、従来のＰＯＳ端末やＥＣＲが備えるキーであって本実施の形態のＰＯＳ端末１に特有の機能とは無関係であるため、その説明は省略する。
【００１９】
このようなＰＯＳ端末１の電装系は図６に示すように構成されている。ＰＯＳ端末１は、ＣＰＵ（Central Processing Unit）や制御プログラムを格納するＲＯＭ（Read Only Memory）等で構成されるＰＯＳ制御部９と、売上バッファや印字バッファ等の各種バッファが割り当てられるＲＡＭ（Random Access Memory）であるメモリ部１０とを保有し、バス１１を介して接続された通信Ｉ／Ｆ１２から、ホストコンピュータ（図示せず）との間で相互にオンライン通信を実行し得るように構成されている。
【００２０】
また、ＰＯＳ制御部９には、バス１１及びＩ／Ｏ機器制御部１３を介して、前述したキーボード３、ディスプレイ５、スキャナ６、客側ディスプレイ７、RFIDタグリーダ８とともに、プリンタ１４及びＨＤＤ（Hard Disk Drive）１５が接続されている。
【００２１】
プリンタ１４は、ＰＯＳ端末１の本体２内に内蔵されたレシート／ジャーナルプリンタであり、売上処理に伴い、取引単位でレシートを発行するとともに、並行してジャーナル用紙への印字を行うものである。
【００２２】
ＨＤＤ１５には、ＰＯＳ制御部９のＣＰＵを動作させるプログラムの他、ＰＬＵキー３ｄに対応付けて商品名や単価、部門、商品コード等を記憶するＰＬＵファイルＦ１、売上データを記憶する売上ファイルＦ２、自動割引テーブルＴ等が格納されている。なお、ＨＤＤ１５に格納されているＰＬＵファイルＦ１、売上ファイルＦ２、自動割引テーブルＴは、ＰＯＳ端末１の起動時に、メモリ部１０に展開されて使用される。
【００２３】
自動割引テーブルＴは、自社が発行したＩＣカードＣに入金された電子マネーによる電子商取引決済を顧客が希望した場合の割引率を時間帯別に定めるテーブルである。図７に示すように、自動割引テーブルＴは、割引時間帯に対応付けて当該時間帯における割引率を設定するものである。
【００２４】
次に、ＨＤＤ１５に格納されたプログラムがＰＯＳ制御部９のＣＰＵに実行させる機能について説明する。なお、従来から行なわれている処理と同様の処理についてはその説明を省略する。ここでは、本実施の形態のＰＯＳ端末１が備える特長的な機能であるＩＣカードＣによる売上処理について説明する。
【００２５】
図８は、ＩＣカードＣによる売上処理の流れを示すフローチャートである。図８に示すように、まず、キーボード３のＰＬＵキー３ｄの操作による商品の入力及びキーボード３の置数キー３ａによる数量の入力に待機する（ステップＳ１）。ＰＬＵキー３ｄの操作による商品の入力及び置数キー３ａによる数量の入力があったと判断されると（ステップＳ１のＹ）、売上データ処理が実行される（ステップＳ２）。この売上データ処理では、ＲＡＭに展開されたＰＬＵファイルＦ１を操作されたＰＬＵキー３ｄに基づいて検索することにより得られる商品名や単価等に基づく売上データがメモリ部１０の売上バッファに登録され、その単価等の取引情報がディスプレイ５や客側ディスプレイ７に表示される。
【００２６】
ステップＳ１〜Ｓ２の処理は、キーボード３の電子マネーキー３ｅが操作される迄（ステップＳ３のＹ）、繰り返される。
【００２７】
キーボード３の電子マネーキー３ｅが操作されて締めが宣言されたと判断されると（ステップＳ３のＹ）、小計金額を算出し（ステップＳ４）、顧客が所有するＩＣカードＣをRFIDタグリーダ８に近づけさせる（例えば、RFIDタグリーダ８上に載置する）ことにより、顧客が所有するＩＣカードＣのRFIDタグ２０に記憶されているカード番号を取得する（ステップＳ５）。
【００２８】
次に、取得したカード番号に基づき、顧客が所有するＩＣカードＣが割引きを行うカードか否かを判断する（ステップＳ６）。本実施の形態においては、自社が発行したＩＣカードＣで電子商取引決済を行う場合に、後述する割引き処理を行うものとする。なお、割引き処理は、提携している会社が発行したＩＣカードＣで電子商取引決済を行う場合等において、実行するようにしても良い。また、顧客が所有するＩＣカードＣが割引きを行うカードか否かの判断は、上位８桁のバリューイシュア番号及びカードイシュア番号により判断される。なお、顧客が所有するＩＣカードＣが割引きを行うカードか否かの判断において、上位８桁のうちの少なくとも１以上の数字を「＊」に設定しておいて０〜９の任意の数字として扱うようにしても良い。すなわち、「＊」が指定されている桁は、一致チェックを行わない。これにより、ワイルドカード指定も可能になる。
【００２９】
顧客が所有するＩＣカードＣが割引きを行うカードであると判断した場合（ステップＳ６のＹ）、ステップＳ７に進み、割引き処理を実行する。本実施の形態の割引き処理は、現在の時間が自動割引テーブルＴに設定されている割引時間帯に該当する場合に、自動割引テーブルＴに設定されている当該時間帯における割引率をステップＳ４で算出した小計金額に乗じることによって割引額を算出し、算出した割引額を小計金額から減じるものである。割引き処理の実行後は、ステップＳ８に進む。
【００３０】
一方、顧客が所有するＩＣカードＣが割引きを行うカードでないと判断した場合（ステップＳ６のＮ）、そのままステップＳ８に進む。
【００３１】
続くステップＳ８においては、小計金額（ステップＳ７で割引き処理を実行した場合には、割引後の小計金額）分の電子マネーである通貨価値（バリュー）を、顧客が所有するＩＣカードＣのRFIDタグ２０の通貨価値（バリュー）から差し引くことにより、支払処理を実行する。
【００３２】
最後に、後処理を実行する（ステップＳ９）。この後処理では、売上バッファに記憶された売上データやステップＳ７で算出された割引額、小計金額等で構成される印字データが生成されて印字バッファに記憶される。この印字データは、プリンタ１４によって印字されてレシートとして発行される。また、後処理では、ドロワ４が開放される。さらに、売上バッファに記憶された売上データは売上ファイルＦ２に記憶される。
【００３３】
具体的には、Ａ社発行のカードユーザは、昼間の営業では割引はないが、夜間は１０％割引きというような処理が可能になっている。このように、特定のカードユーザに対してのみ、営業時間毎に割引率を変更することで、カードの使用率を高めるとともに、昼夜で業務形態が異なるような店舗においてきめの細かなサービスを提供することができる。
【００３４】
このように本実施の形態によれば、決済の際に顧客が提示したＩＣカードＣが特定のカード発行元から発行されたカードであった場合には、自動割引テーブルＴで現在の時間帯に設定されている割引率に従って割引額が算出され、算出された割引額が売上処理した金額から減じられる。これにより、カードの使用率を高めるとともに、昼夜で業務形態が異なるような店舗においてロスなくきめの細かなサービスを提供することができる。
【００３５】
なお、本実施の形態においては、発行元の情報を含んでいて決済可能なカードとしてＩＣカードＣを適用したが、これに限るものではなく、クレジットカード、プリペイドカード等を適用することができる。
【００３６】
また、本実施の形態においては、割引対象金額を小計金額としたが、これに限るものではない。例えば、部門単位で集計した金額や、商品コードを指定することによる商品単価の金額を割引対象金額にしても良い。また、割引方法としては、割引対象金額によらずに、現在の時間が自動割引テーブルＴに設定されている割引時間帯に該当する場合に、自動割引テーブルＴに設定されている当該時間帯における値引額を値引くようにしても良い。
【図面の簡単な説明】
【００３７】
【図１】本発明の実施の一形態のＰＯＳ端末を概略的に示す外観斜視図である。
【図２】その背面図である。
【図３】ＩＣカードを概略的に示す外観斜視図である。
【図４】カード番号の構成を示す説明図である。
【図５】キーボードの各種キーの配列を示す平面図である。
【図６】ＰＯＳ端末の電装系を示すブロック図である。
【図７】自動割引テーブルのデータ構成を示す説明図である。
【図８】ＩＣカードによる売上処理の流れを示すフローチャートである。
【符号の説明】
【００３８】
１…商品販売データ処理装置、Ｃ…カード、Ｔ…テーブル
【図１】
2006039619.tif 000003
【図２】
2006039619.tif 000004
【図３】
2006039619.tif 000005
【図４】
2006039619.tif 000006
【図５】
2006039619.tif 000007
【図６】
2006039619.tif 000008
【図７】
2006039619.tif 000009
【図８】
2006039619.tif 000010